(57)【特許請求の範囲】
【請求項１】
モーターを備えた回転駆動部を内装した把手の先部に、基部を把手と一体に連結した長尺の保護パイプ体を設け、伸縮可能な多重筒体構造にして、基部を回転駆動部と連結して回転し、且つ伸長時に先部側が保護パイプ体から大きく突出し、短縮時に引き出し可能に先端部分のみが保護パイプ体より突出して収納される回転パイプ体を、前記保護パイプ体の内方に設け、前記回転パイプ体の先端に、充分な可撓性と強靭性を兼ね備えた細棒一本形状の箒体を回転パイプ体と一体に回転するように装着してなる掃除具。
【請求項２】
細棒状の箒体を、多重筒体構造の回転パイプ体における最先方に伸長突出するパイプ体内に収納すると共に、引き出し状態で基部が前記パイプ体に密嵌して抜けない構造としてなる請求項１記載の掃除具。
【請求項３】
箒体を、基部と先部とに分割して連結分離可能に形成すると共に、基部箒体を、多重筒体構造の回転パイプ体における最先方に伸長突出するパイプ体内に収納してなる請求項１記載の掃除具。
【発明の詳細な説明】
【０００１】
【産業上の利用分野】
本発明は、主として天井の蜘蛛巣払い、壁や天井の煤払い、家具の隙間並びに排水管内等の狭い箇所の清掃に使用する掃除具に関するものである。
【０００２】
【従来の技術】
先端部分が回転して蜘蛛巣を巻き取る構成の清掃器具としては、実開昭６０−１０３４７０号公報及び登録実用新案第３０１３８３６号公報に開示されている。
【０００３】
前者の具体的構成は、回転駆動部を内装した把持部と、この把持部に固定され外方に延設した中空管体と、中空管体内回転自在に支持される回転軸とを備え、回転軸の先端部分に、可撓性接続具を介して、割り箸のような角柱体（箒棒）を装着するようにして、天井等の高所面に各柱体を添わせて回転させて、蜘蛛巣を巻き取るようにしている。
【０００４】
また後者は、管状の柄の基部に電池を内装し、先端部内にモーターを内蔵して、柄の先端にモーターと連結した巻き取り棒（箒棒）を設けてなり、巻き取り棒として木材、竹、プラスチック、ピアノ線等を使用したり、その表面にゴム質やスポンジ等の緩衝体を設け、前記の蜘蛛巣取り器具と同様に巻き取り棒を回転させて、蜘蛛巣を巻き取るようにしたものである。
【０００５】
【発明が解決しようとする課題】
前記した公知の蜘蛛巣取り用の清掃具は、天井などの高所に対して使用するものであるから当然その全長は相応に長くなければならないことは当然である。ところでこのように長い器具は、収納運搬等に不都合であるが、前記した従前の器具は、単に先端の短い箒棒（各柱体、巻き取り棒）の着脱を行う程度である。
【０００６】
また箒棒についても、単に蜘蛛巣を巻き取ることのみを考慮したにすぎなく、蜘蛛巣以外の利用範囲が限定されている。例えば家具の背面やダクトや排水管等の曲がりくねった箇所に対しての清掃について全く考慮されていない。勿論壁面全体や天井全体についても全く考慮されていない。
【０００７】
そこで本発明は、第一に壁面や天井面自体を擦ったり、拭く様にしての清掃や、家具の背面などの奥まったところの清掃など、蜘蛛巣取り以外にもその利用範囲を拡充し、また非使用時には、全長を短くしておくことができ、その取り扱いを容易にした新規な清掃具を提案したものである。
【０００８】
【課題を解決するための手段】
本発明に係る清掃具は、モーターを備えた回転駆動部を内装した把手の先部に、基部を把手と一体に連結した長尺の保護パイプ体を設け、伸縮可能な多重筒体構造にして、基部を回転駆動部と連結して回転し、且つ伸長時に先部側が保護パイプ体から大きく突出し、短縮時に引き出し可能に先端部分のみが保護パイプ体より突出して収納される回転パイプ体を、前記保護パイプ体の内方に設け、前記回転パイプ体の先端に、充分な可撓性と強靭性を兼ね備えた細棒一本形状の箒体を回転パイプ体と一体に回転するように装着してなることを特徴とするものである。
【０００９】
従って清掃使用時には、保護パイプ体から回転パイプ体を大きく引き出し、回転パイプ体の先端に装着された箒体の先端側適宜な長さ分を、壁面や天井面に添わせることや、狭い曲がりくねった箇所にも差し入れ、回転駆動部の動作で、回転パイプ体を介して箒体を回転させると、壁面、天井面、狭い箇所等の清掃を実施できるものである。勿論箒体先端を蜘蛛の巣の場所に位置させて箒体を回転させると蜘蛛の巣の巻き取りも行うものである。
【００１０】
また不使用時には、回転パイプ体を短縮して保護パイプ体に収納することができ、不使用時（収納時）に器具の全長を短くすることができる。
【００１１】
特に請求項２記載の発明のように、細棒状の箒体を、多重筒体構造の回転パイプ体における最先方に伸長突出するパイプ体内に収納すると共に、引き出し状態で基部が前記パイプ体に密嵌して抜けない構造としてなると、使用時に箒体を引き出し、不使用時に箒体を回転パイプ体内に収納しておくことができる。
【００１２】
また請求項３記載の発明のように、 箒体を、基部と先部とに分割して連結分離可能に形成すると共に、基部箒体を、多重筒体構造の回転パイプ体における最先方に伸長突出するパイプ体内に収納してなると、種々の構造・形状に形成した先部箒体を選択装着できるものである。
【００１３】
【発明の実施の形態】
＜参考実施形態＞図１から図６は参考実施形態を示すもので、この参考実施形態は把手１と、保護パイプ体２と、回転パイプ体３と、箒体４とで構成される。
【００１４】
把手１は、ケース状の把手本体１１内に、回転駆動部となるモーター１２及びモーターの電源となる電池１３を内装してなるものである。保護パイプ体２は、５０〜１００ｃｍ程度の長さの長尺パイプ体で、金属製の非可撓性のものでも、或は多少の可撓性を備えた樹脂製パイプでも良く、前記把手本体１１の一端に連結固定したものである。尚保護パイプ体２は、その先端口に回転パイプ体３の回転がスムーズになされるような軸受け部２１を備えてなる。
【００１５】
回転パイプ体３は、前記保護パイプ体２に回転自在に内挿すると共に、把手１内のモーター１２と連結して回転可能としたもので、その先端部は保護パイプ体２より少し突出せしめたもので、且つその先端開口部分の内周面には、突起３１を突設すると共に、箒体４のスライド移動の抵抗となる抵抗被膜３２を形成し、更に先端口近傍の内周面３３は、その内径を窄めてなるものである。
【００１６】
箒体４は、グラスファイバーや、カーボン繊維、竹等の材料を使用して、釣り竿の先端側竿杆のような充分な可撓性と強靭性を兼ね備えた細棒状であり、前記抵抗被膜３２と密着する太さに形成して、且つ突起３１に対応する縦溝４１を縦設して、前記回転パイプ体３内に収納し、またその基端部４２は、回転パイプ体３の窄めた内周面３３に密嵌して抜けないように太く形成したものである。
【００１７】
而して、前記清掃具は、その使用に際して箒体４を回転パイプ体３の先端口から使用に適する長さ分だけ引っ張り出し、そこでモーター１２を動作させると、回転パイプ体３及び箒体４が回転することになり、高所や手の届かない狭所に箒体４を差しのばすと、当該箇所の蜘蛛巣Ａを絡め取ることができる。
【００１８】
又図５に示す通り箒体４を適宜長さ引き出して、その先端部分を適宜範囲で壁面Ｂや天井面Ｃに当接し、箒体４を回転させると、塵芥を壁面等の付着面から剥がすことができる。
【００１９】
更に箒体４の全体を引っ張り出して充分に長くすると（最も引き出した場合には、基端部４２が保護パイプ体先端内周面３３に密嵌して両者が堅牢に一体化される）、図６に例示するように家具Ｄと床Ｅとの間隙に箒体４の先方部分を差し入れることが可能となり、箒体４を回転駆動させることで当該箇所の清掃を行うことができるものである。
【００２０】
特に前記の蜘蛛の巣取り以外の作業に際して、箒体４を後述する塵芥の拭き取り用や、削り落とし用の部材を採用すると、箒体４の先方部分が清掃対象面（壁面Ｂ、天井面Ｃ、家具Ｄの下面、床Ｅ）の清掃効果を高めることができる。
【００２１】
また器具の使用を終了後に、箒体４を回転パイプ体３内に押し込むと、箒体４の基端部４２と保護パイプ体先端内周面３３との密嵌が解除され、箒体４は、保護パイプ体３内に収納されることになり、器具の全長を約半分とすることができ、収納運搬に便利となるものである。
【００２２】
＜第一実施形態＞図７乃至図１３は本発明の第一実施形態を示したものである（尚図１１乃至図１３は別実施例である）。この実施形態は、回転パイプ体３ａを多重筒体からなる多段構成としたものである。即ち回転パイプ体３ａは、テーパー状の多重筒体とし、引き出すことで継ぎ状態となる継ぎパイプ体３４ａ，３４ｂ，３４ｃで構成されるものである。
【００２３】
この各継ぎパイプ体３４ａ，３４ｂ，３４ｃは，その基部側（外方側）の継ぎパイプ体の先端３４１に、先部側（内方側）の継ぎパイプ体の基端３４２が密嵌し、内方側パイプ体が外方側パイプ体に差し入れられると、内方側パイプ体が外方側パイプ体との連結状態が解除される構造である。即ち振り出し釣り竿と同様な構造である。
【００２４】
そしてこの保護パイプ体３ａを採用した清掃具は、前記第一実施形態の清掃具と同様に、把手１ａと、保護パイプ体２ａと、箒体４ａを備えているものである。
【００２５】
把手１ａは、回転駆動源となるモーター及びモーターの電源となる電池を内装してなる点は前記の参考実施形態と同様であるが、電池は充電式電池とし、電池容量が低下すると警告通知をなす警告用パイロットランプ及び充電用接続部を設け、またモーターに対して給電方向の切り替え接続を行う選択接続スイッチを設けて、モータの回転方向切り替えを可能としたものである。また把手本体１１の先端部に、保護パイプ体２ａの取付部１４と、回転駆動部と連結した回転伝達体１５を突設してなり、取付部１４は、把手本体１１の先端に筒状に突設し、内周面にネジ溝を形成したものである。また回転伝達体１５は、把手１ａ内のモーター回転軸と連結したもので、取付部１４の中心線上に位置せしめてなり、その形状は、円柱体を階段状に先部を細くしたもので、特に各径は、前記継ぎパイプ体３４ａ，３４ｂ，３４ｃの基端部分が密着外嵌合される大きさとしたものである。
【００２６】
保護パイプ体２ａは、基部に前記取付部１４に螺合するネジ部を設けたもので、ネジ部の螺合で把手１ａと連結するものである。
【００２７】
回転パイプ体３ａは前記したとおり、継ぎパイプ体による多重筒体で、内方継ぎパイプ体３４ｃ内に箒体４ａを内挿してなり、その基端３４２は、必要に応じて回転伝達体１５に連結するものである。
【００２８】
箒体４ａは、前記第一実施形態のものと同様にグラスファイバーや、カーボン繊維、竹等の材料を使用して、釣り竿の先端側竿杆のような充分な可撓性と強靭性を兼ね備えた適宜長さの細棒状であり、その基端４２は、先方継ぎパイプ体３４ｃの先端部の内周面に密嵌して抜けないように形成したものである。
【００２９】
而して前記清掃具は、継ぎパイプ体３４の全てを引っ張り出すと、基部方側（外方側）の先端部３４１に、先部側（内方側）の基端部３４２が密嵌合して、全体が連結されて箒体４ａの回転駆動で所定の清掃を行うことができる（図７イ、図９）。更に中間継ぎ手パイプ体３４ｂを基部方向に押し込むと、基方継ぎパイプ体３４ａとの連結状態が解除されるが、中間継ぎパイプ体３４ｂの基端部３４２ｂが回転伝達体１５に密嵌合して連結されるので、全体が少し短い状態で清掃作業に使用することができる（図７ロ、図１０）。更に同様に先方継ぎパイプ体３４ｃを押し込み中間継ぎパイプ体３４ｂとの連結を解除しても、先方継ぎパイプ体３４ｃの基端部３４２ｃを回転伝達体１５に連結すると、最短状態での使用が可能となる（図７ハ）。
【００３０】
尚前記の継ぎパイプの段数は、任意に定められるものであり、その際には回転伝達体の段数も増加させれば良いものである。更に前記回転伝達体は、円柱体の複数段数としたものであるが、それに代えて円錐形状として、各継ぎパイプ体の基端を外嵌合して連結する構造としても良い。また保護パイプ体２ａが無くとも充分清掃具として使用できるものである。
【００３１】
また前記の実施において、特に回転伝達体１５の採用に代えて、継ぎパイプ体３４間に別の連結構造を採用しても良い。即ち内外の継ぎパイプ体３４ｄ、３４ｅにおいて、外方側継ぎパイプ体３４ｄの先端３４１ｄに、内方側継ぎパイプ体３４ｅの基端３４２ｅが密嵌し、内方側継ぎパイプ体３４ｅが外方側の継ぎパイプ体３４ｄに差し入れられると、内方側の継ぎパイプ体３４ｅが外方側の継ぎパイプ体３４ｄとの連結状態が解除される構造で、更に各内方側となる継ぎパイプ体３４ｅの先端外周に、外方側の継ぎパイプ体３４ｄの内周面に密嵌合する鉢巻き部３４３を設けたものである。
【００３２】
従って伸長時は前記実施例と同様であるが（図１１）、内方継ぎパイプ体３４ｅを外方継ぎパイプ体３４ｄに押し込んだ状態では自由にスライドし（図１２）、内方継ぎパイプ体３４ｅの鉢巻き部３４３が、外方継ぎパイプ体３４ｄの内周面に密嵌合すると、両継ぎパイプ体３４ｄ，３４ｅは連結状態となり（図１３）、一体に回転可能となるものである。
【００３３】
前記構造は、継ぎパイプ体を多段にしても当然適用でき、全体の長さをその継ぎパイプ体の長さ単位で調整できるものである。
【００３４】
＜参考実施形態＞ 図１４及び図１５は参考実施形態を示すもので、この参考形態は、最も単純な構造の実施形態であり、把手１ｂと箒体４ｂとで構成されるものである。
【００３５】
把手１ｂは、内部にモーター等の回転駆動部を備え、モーターと連結した回転軸部１６を突設したものであり、箒体４ｂは前記各実施形態と同様に充分な可撓性と強靭性を兼ね備えた細棒状であり、その基部に前記回転軸部１６との連結部４３を備えてなるものである。
【００３６】
連結構造は任意に定められるものであるが、図示した例は、回転軸部１６を筒体にして縦溝１６１を穿設し、外周部にネジ１６２を刻設してなり、一方箒体４ｂには、基端に前記縦溝１６１と対応する突起４３１を設けると共に、回転軸部１６に差し込んだ箒体基部の離脱を防止するカップリングナット４３２とを備えさせたものである。
【００３７】
従って把手１ｂに箒体４ｂを取り付けることで、箒体４ｂを採用した清掃具を容易に実現することができるものである。
【００３８】
＜第二実施形態＞ 図１６乃至図１９は本発明の第二実施形態を示すもので、この実施形態は、特に器具の収納時のコンパクト化を実現したもので、その基本構成は、前記第一実施形態と同様で、把手１ｃ、保護パイプ体２ｃと、回転パイプ体３ｃと、箒体４ｃとで構成される。
【００３９】
特に第一実施形態との相違点のみについて説明すると、把手１ｃは、その把手本体（外層部分）を多重筒体（外層部）１１ａ，１１ｂ，１１ｃとして伸縮自在に形成してなり、保護パイプ体２ａも、二重筒体（内外パイプ体）２２，２３にして伸縮自在とし、更に回転パイプ体３ｃも、二重筒体（内外パイプ体）３５，３６として保護パイプ体２ｃ内に内挿してなる（先方の内側回転パイプ体３５の先端には第一実施形態と同様の突起３１や抵抗被膜３２を備えている）。
【００４０】
また箒体４ｃも、二分割とし、基部箒体４４の先端面に差し込み装着穴４４１を設け、且つ突起３１と対応する縦溝４１を備え、先部箒体４５の基端には、前記差し込み装着穴４４１に嵌挿される連結突部４６を設けてなる。
【００４１】
更に先部箒体４５は、アタッチメント部材として図１９に示すように種々の形態のものを用意しておくと、便利である。例えば（イ）の先部箒体４５ａは、芯棒体４５１の表面に、繊維や糸の植毛４５２を施したものであり、（ロ）の先部箒体４５ｂは、芯棒体４５１の表面に、小さい多数の布帛４５３を植え付けたもので、埃の拭き取りに使用できる。また（ハ）の先部箒体４５ｃは、芯棒体４５１の先端を縦長に分割した細線体４５４としたものであり、（ニ）の先部箒体４５ｄは、芯棒体４５１の先端を紐体４５５を結着したしたもので、前記両者は、その回転によってフレアー状に拡がり、広い範囲の蜘蛛の巣の巻き取りやその他の清掃に便利である。更に（ホ）の先部箒体４５ｅは、芯棒体４５１の表面に、砥粒４５６を接着してなるもので、強く付着した汚れに対して削り落としによる清浄化を実施できる。
【００４２】
而して把手１ｃ、保護パイプ体２ｃ、回転パイプ体３ｃは多重筒体構造としたものであるから、非使用時には、先部箒体４５を除き全てを短縮でき、使用時の全長の約４分の１の長さまで短くすることができるものである。又先部箒体４５の選択的装着によって最も清掃効率が上がる形態の箒体を使用できる利点がある。
【００４３】
尚本発明は前記実施形態に限定されるものではなく、例えば、第三実施形態で示した先部箒体を、他の実施形態の箒体にそのまま採用しても良いし、又は分割して先部箒体の選択着脱可能な構造としても良い。
【００４４】
【発明の効果】
以上のように本発明は、把手に内装した回転駆動部で棒状箒体を回転させる清掃具に於いて、棒状箒体を充分な可撓性及び強靭性を備えたものとし、壁面や天井面、更には狭い曲がりくねった箇所の清掃を可能としたものであり、また前記箒体と把手の回転駆動部との連結を、保護パイプ体内に内挿した回転パイプ体で行い、箒体を、回転パイプ体内に、パイプ体と一緒に回転する構造を有せしめて収納し、且つ任意長さに引き出し可能としたもので、使用時の器具の長さを調整できると共に、収納時のコンパクト化を実現し、より取り扱い易い器具としたものである。
【図面の簡単な説明】
【図１】本発明に関連する参考実施形態の一部省略した一部断面図。
【図２】同全体図及び要部拡大断面図。
【図３】同回転パイプ体の先端部分の斜視図。
【図４】同使用状態の説明図（高所への使用例）。
【図５】同使用状態の説明図（壁面等への使用例）。
【図６】同使用状態の説明図（狭所への使用例）。
【図７】本発明の第一実施形態の全体図（使用時の長さ調整例）。
【図８】同分解説明図。
【図９】同要部断面図（伸長時）。
【図１０】同要部断面図（短縮時）。
【図１１】同第一実施形態の別例図（回転パイプ体の伸長時）。
【図１２】同第一実施形態の別例図（回転パイプ体のスライド移動時）。
【図１３】同第一実施形態の別例図（回転パイプ体の短縮時）
【図１４】参考実施形態の分解斜視図。
【図１５】同一部切断した正面図。
【図１６】本発明の第二実施形態の全体図。
【図１７】同要部断面図。
【図１８】同箒体の要部断面図。
【図１９】  同各種箒体の説明図。
【符号の説明】
１，１ａ，１ｂ，１ｃ     把手
１１  把手本体
１１ａ，１１ｂ，１１ｃ  外層部
１２ モーター
１３ 電池
１４ 取付部
１５ 回転伝達体
１６ 回転軸部
２，２ａ，２ｃ 保護パイプ体
２１ 軸受け部
２２，２３ 内外パイプ体
３，３ａ，３ｃ 回転パイプ体
３１ 突起
３２ 抵抗被膜
３３ 内周面
３４ａ，３４ｂ，３４ｃ，３４ｄ，３４ｅ 継ぎパイプ体
３４１ 先端
３４２ 基端
３４３ 鉢巻き部
３５、３６ 内外パイプ体
４，４ａ，４ｂ，４ｃ 箒体
４１ 縦溝
４２ 基端部
４３ 連結部
４４ 基部箒体
４４１ 装着穴
４５，４５ａ，４５ｂ，４５ｃ，４５ｄ，４５ｅ 先部箒体
４５１ 芯棒体
４５２ 植毛
４５３ 布帛
４５４ 細線体
４５５ 紐体
４５６ 砥粒
【図１】
0004142773.tif 000002
【図２】
0004142773.tif 000003
【図３】
0004142773.tif 000004
【図４】
0004142773.tif 000005
【図５】
0004142773.tif 000006
【図６】
0004142773.tif 000007
【図７】
0004142773.tif 000008
【図８】
0004142773.tif 000009
【図９】
0004142773.tif 000010
【図１０】
0004142773.tif 000011
【図１１】
0004142773.tif 000012
【図１２】
0004142773.tif 000013
【図１３】
0004142773.tif 000014
【図１４】
0004142773.tif 000015
【図１５】
0004142773.tif 000016
【図１６】
0004142773.tif 000017
【図１７】
0004142773.tif 000018
【図１８】
0004142773.tif 000019
【図１９】
0004142773.tif 000020